(57)【要約】【課題】  本発明の目的は、タッチパネルへの操作により連続撮影の開始と終了の指示を行うことができる撮像制御装置において、速やかに撮影を開始でき、しかもユーザの所望でない撮影が行われる可能性を低減させた撮像制御装置を提供することである。【解決手段】  タッチ操作を検出するタッチ検出手段（タッチパネル７０ａ）と、前記タッチ検出手段により、タッチが検出された後に、タッチした状態でタッチ位置を移動する、所定のタッチムーブが検出されたことに応じて連続撮影を開始し、さらに、タッチを解除するタッチアップが検出されたことに応じて前記連続撮影を終了するように制御する制御手段（システム制御部５０）とを有することを特徴とする撮像制御装置。【選択図】  図２
2016039498.tif 000002
【特許請求の範囲】
【請求項１】
タッチ操作を検出するタッチ検出手段と、
前記タッチ検出手段により、タッチが検出された後に、タッチした状態でタッチ位置を移動する、所定のタッチムーブが検出されたことに応じて連続撮影を開始し、さらに、タッチを解除するタッチアップが検出されたことに応じて前記連続撮影を終了するように制御する制御手段とを有することを特徴とする撮像制御装置。
【請求項２】
前記制御手段は、前記タッチ検出手段により、前記所定のタッチムーブが検出される前にタッチアップされたことが検出されたことに応じて、単写撮影をするように制御することを特徴とする請求項１に記載の撮像制御装置。
【請求項３】
前記所定のタッチムーブは、タッチされた位置から所定の第１の領域までの、タッチムーブであることを特徴とする請求項１または２に記載の撮像制御装置。
【請求項４】
前記第１の領域の範囲を表示する表示手段をさらに有することを特徴とする請求項３に記載の撮像制御装置。
【請求項５】
前記タッチ検出手段によりタッチが検出された際に、タッチが開始されたタッチ位置に基づいて、前記第１の領域を設定する設定手段をさらに有することを特徴とする請求項３または４に記載の撮像制御装置。
【請求項６】
前記設定手段は、予め定められた複数の領域のうち、タッチが開始されたタッチ位置から近い方の領域に前記第１の領域を設定することを特徴とする請求項５に記載の撮像制御装置。
【請求項７】
前記設定手段は、タッチが開始されたタッチ位置から所定の方向に、前記第１の領域を設定することを特徴とする請求項５に記載の撮像制御装置。
【請求項８】
前記タッチ検出手段は、表示手段に対するタッチを検出し、
前記表示手段は、撮像手段により得られるライブビュー画像を表示することを特徴とする請求項１乃至７の何れか１項に記載の撮像制御装置。
【請求項９】
タッチが開始されたタッチ位置に基づいて、主被写体を決定する決定手段をさらに有し、
前記表示手段は、ライブビュー画像の表示とともに、前記決定手段により決定された主被写体の位置を表示することを特徴とする請求項４乃至８に記載の撮像制御装置。
【請求項１０】
前記制御手段は、タッチが開始されたタッチ位置の情報に基づいて決定された主被写体に合わせて焦点を調整するように制御することを特徴とする請求項９に記載の撮像制御装置。
【請求項１１】
前記表示手段は、連続撮影が行われている際に、該連続撮影で撮影された枚数を表示することを特徴とする請求項４乃至１０の何れか１項に記載の撮像制御装置。
【請求項１２】
前記表示手段は、連続撮影が行われている際に、タッチアップすることで連続撮影を終了できることを表示することを特徴とする請求項４乃至１１の何れか１項に記載の撮像制御装置。
【請求項１３】
前記制御手段は、所定の第１の領域への前記所定のタッチムーブが検出された後、前記第１の領域の一部の領域を含む所定の第２の領域においてタッチアップが検出された場合には、前記連続撮影を終了し、前記第２の領域以外である所定の第３の領域においてタッチアップが検出された場合には、前記連続撮影を継続するように制御することを特徴とする請求項１乃至１２の何れか１項に記載の撮像制御装置。
【請求項１４】
前記制御手段は、前記第３の領域において、タッチを解除するタッチアップが検出された後、再びタッチの開始が検出されたことに応じて、前記連続撮影を終了するように制御することを特徴とする請求項１３に記載の撮像制御装置。
【請求項１５】
前記タッチ検出手段は、複数の候補領域のうち一つの領域を前記第２の領域として設定可能であり、前記制御手段は、前記複数の候補領域の中から、タッチが開始されたタッチ位置から最も近い候補領域を前記第２の領域として設定することを特徴とする請求項１３または１４に記載の撮像制御装置。
【請求項１６】
前記制御手段は、前記タッチ検出手段によりタッチが検出されたことに応じて、前記第２の領域の範囲を表示手段に表示するように制御することを特徴とする請求項１３乃至１５の何れか１項に記載の撮像制御装置。
【請求項１７】
前記制御手段は、前記タッチ検出手段により、タッチが検出された後に、タッチした状態で、キャンセル領域までタッチ位置を移動するタッチムーブが検出されると、前記所定のタッチムーブが検出される前にタッチアップされたことが検出されても、撮影の指示を行わないように制御することを特徴とする請求項２に記載の撮像制御装置。
【請求項１８】
タッチ操作を検出するタッチ検出ステップと、
前記タッチ検出ステップにおいて、タッチが検出された後に、タッチした状態でタッチ位置を移動する、所定のタッチムーブが検出されたことに応じて連続撮影を開始し、さらに、タッチを解除するタッチアップが検出されたことに応じて前記連続撮影を終了するように制御する制御ステップとを有することを特徴とする撮像制御装置の制御方法。
【請求項１９】
コンピュータを、請求項１乃至１７のいずれか１項に記載された撮像制御装置の各手段として機能させるためのプログラム。
【請求項２０】
コンピュータを、請求項１乃至１７のいずれか１項に記載された撮像制御装置の各手段として機能させるためのプログラムを格納したコンピュータが読み取り可能な記憶媒体。
【発明の詳細な説明】
【技術分野】
【０００１】
本発明は、タッチパネルを備えた撮像制御装置とその制御方法、プログラム、コンピュータが読み取り可能な記憶媒体に関する。
【背景技術】
【０００２】
タッチパネルが設けられている撮像制御装置の中には、タッチパネルの操作により撮像の指示を行うことができるものがある。特許文献１では、タッチパネルにタッチダウンされる（触れる）と撮影準備動作を行い、タッチアップされる（タッチ後に離す）と単写撮影を行う。さらに、タッチダウンしたまま所定位置まで指が移動され、タッチアップされると連続撮影を開始する方法が開示されている。なお、ここで撮影とは、記録媒体への記録を伴う撮像のことを指す。
【先行技術文献】
【特許文献】
【０００３】
【特許文献１】特開２０１３−０５８９５８号公報
【発明の概要】
【発明が解決しようとする課題】
【０００４】
タッチパネルへのタッチ操作により、連続撮影の指示を行う撮像装置においては、シャッターチャンスを逃さずに撮影開始の指示ができ、ユーザの所望でない不要な撮影画像が含まれることなく撮影が終了できることが望ましい。特許文献１では、連続撮影を行う場合にタッチダウンして撮影準備動作を行った後、指を移動させ、さらに、タッチアップすることで連続撮影の開始指示をし、再びタッチダウンすることで連続撮影の終了指示ができる。しかしながら、近年の連続撮影では短時間で多くの撮影を行うことが可能となっており、連続撮影の終了指示が遅れると、ユーザにとって不要な撮影画像が大量に記録される可能性がある。
【０００５】
本発明は上記の課題に鑑み、タッチパネルへの操作により連続撮影の開始と終了の指示を行うことができる撮像制御装置において、速やかに撮影を開始でき、しかもユーザの所望でない撮影が行われる可能性を低減させた撮像制御装置の提供を目的とする。
【課題を解決するための手段】
【０００６】
タッチ操作を検出するタッチ検出手段と、前記タッチ検出手段により、タッチが検出された後に、タッチした状態でタッチ位置を移動する、所定のタッチムーブが検出されたことに応じて連続撮影を開始し、さらに、タッチを解除するタッチアップが検出されたことに応じて前記連続撮影を終了するように制御する制御手段とを有することを特徴とする撮像制御装置。
【発明の効果】
【０００７】
連続撮影の撮影指示をタッチパネルへの操作により行う場合において、速やかに撮影を開始でき、しかもユーザの所望でない撮影が行われる可能性を低減させることができる。
【図面の簡単な説明】
【０００８】
【図１】（ａ）本発明の一実施形態に係る撮像制御装置の外観図、（ｂ）本発明の一実施形態に係る撮像制御装置の構成例を示すブロック図。
【図２】第１実施形態における撮像制御装置の撮影モードを示すフローチャート。
【図３】本実施形態における表示部の表示例を示す図。
【図４】第２実施形態における撮像制御装置の撮影モードを示すフローチャート。
【図５】本実施形態におけるタッチパネルおよび表示部の座標図。
【発明を実施するための形態】
【０００９】
以下、図面を参照して本発明の好適な実施形態を説明する。
【００１０】
＜第１実施形態＞
図１（ａ）は本発明の撮像制御装置の一例としてのデジタルカメラ１００の外観図、図１（ｂ）は本発明の撮像制御装置の一例としてのデジタルカメラ１００の構成例を示すブロック図である。
【００１１】
バリア１０は、デジタルカメラ１００の撮影レンズ１１を含む撮像部を覆う事により、撮像部の汚れや破損を防止する保護手段である。撮影レンズ１１は、ズームレンズ、フォーカスレンズを含むレンズ群である。シャッター１２は、絞り機能を備えるシャッターである。
【００１２】
撮像部１３は光学像を電気信号に変換するＣＣＤやＣＭＯＳ素子等で構成される撮像素子である。Ａ／Ｄ変換器１５は、撮像部１３のアナログ信号出力をディジタル信号に変換する。タイミング発生回路１４は撮像部１３、Ａ／Ｄ変換器１５、Ｄ／Ａ変換器２１にクロック信号や制御信号を供給し、メモリ制御部２２及びシステム制御部５０により制御される。
【００１３】
画像処理部２０は、Ａ／Ｄ変換器１５からのデータ或いはメモリ制御部２２からのデータに対して所定の画素補間処理や色変換処理を行う。また、撮像した画像データを用いて所定の演算処理をし、得られた演算結果に基づいてシステム制御部５０が露光制御部４０、測距制御部４１に対して制御をする。さらに、ＡＦ（オートフォーカス）処理、ＡＥ（自動露出）処理、ＥＦ（フラッシュプリ発光）処理、ＡＷＢ（オートホワイトバランス）処理を行っている。さらに、画像処理部２０においては、メモリ２５に格納された画像を読み込んで圧縮処理或いは伸長処理を行い、処理を終えたデータをメモリ２５に書き込む。
【００１４】
メモリ制御部２２は、Ａ／Ｄ変換器１５、タイミング発生回路１４、画像処理部２０、Ｄ／Ａ変換器２１、メモリ２５を制御する。Ａ／Ｄ変換器１５のデータが画像処理部２０、メモリ制御部２２を介して、或いはＡ／Ｄ変換器１５のデータが直接、メモリ制御部２２を介して、メモリ２５に書き込まれる。Ｄ／Ａ変換器２１は、メモリ２５に格納されている画像表示用のデータをアナログ信号に変換して表示部２３に供給する。
【００１５】
表示部２３は、ＴＦＴ・ＬＣＤ等から成る表示装置であり、メモリ２５に書き込まれた表示用の画像データはＤ／Ａ変換器２１を介して表示部２３に表示される。表示部２３を用いて撮像した画像データを逐次表示すれば、ライブ映像を表示する電子ファインダ機能を実現することが可能である。
【００１６】
タッチパネル７０ａは透過性を有しており、表示部２３のＬＣＤの前面などに配設される。タッチパネル７０ａでは、それらのタッチパネルから押圧や接触を検知（タッチ検出）し、指示されている位置の位置情報を出力することができる。例えば、タッチパネルを光の透過率が表示部２３の表示を妨げないように構成し、表示部２３の表示面の上層に取り付ける。そして、タッチパネルにおける入力座標と、表示部２３上の表示座標とを対応付ける。これにより、恰もユーザが表示部２３上に表示された画面を直接的に操作可能であるかのようなＧＵＩ（グラフィカルユーザーインターフェース）を構成することができる。システム制御部５０はタッチパネルへの以下の操作。あるいは状態を検出できる。
・タッチパネルにタッチしていなかった指やペンが新たにタッチパネルにタッチしたこと。すなわち、タッチの開始（以下、タッチダウン（Ｔｏｕｃｈ−Ｄｏｗｎ）と称する）。
・タッチパネルを指やペンでタッチしている状態であること（以下、タッチオン（Ｔｏｕｃｈ−Ｏｎ）と称する）。
・タッチパネルを指やペンでタッチしたまま移動していること（以下、タッチムーブ（Ｔｏｕｃｈ−Ｍｏｖｅ）と称する）。
・タッチパネルへタッチしていた指やペンを離したこと。すなわち、タッチの終了（以下、タッチアップ（Ｔｏｕｃｈ−Ｕｐ）と称する）。
・タッチパネルに何もタッチしていない状態（以下、タッチオフ（Ｔｏｕｃｈ−Ｏｆｆ）と称する）。
【００１７】
タッチしていた全ての指やペンがタッチアップしたこと（タッチの解除）が検出された後は、タッチオフとなる。これらの操作・状態や、タッチパネル上に指やペンがタッチしている位置座標は内部バスを通じてシステム制御部５０に通知され、システム制御部５０は通知された情報に基づいてタッチパネル上にどのような操作が行なわれたかを判定する。タッチムーブについてはタッチパネル上で移動する指やペンの移動方向についても、位置座標の変化に基づいて、タッチパネル上の垂直成分・水平成分毎に判定できる。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。タッチパネル７０ａにおける入力座標と表示部２３上の表示座標は、水平方向を示すＸ軸と垂直方向を示すＹ軸で表す。タッチパネル７０ａおよび表示部２３の中心座標を（０，０）とする。
【００１８】
メモリ２５は撮影した静止画像や動画像や撮影枚数といった情報を格納するための記憶媒体であり、所定枚数の静止画像や所定時間の動画像を格納するのに十分な記憶容量を備えている。また、メモリ２５はシステム制御部５０の作業領域としても使用することが可能である。
【００１９】
露光制御部４０は絞り機能を備えるシャッター１２を制御する。測距制御部４１は撮影レンズ１１のフォーカシングを制御する測距制御部である。ズーム制御部４２は、撮影レンズ１１のズーミングを制御する制御部である。バリア制御部４３はバリア１０の動作を制御する制御部である。
【００２０】
システム制御部５０はデジタルカメラ１００全体を制御する。不揮発性メモリ５１は、電気的に消去・記録可能な記録媒体としてのメモリであり、例えばＥＥＰＲＯＭ等が用いられる。
【００２１】
操作部７０は、システム制御部５０の各種の動作指示を入力するためのものであり、図１（ａ）の電源ボタン７２、タッチパネル７０ａ、コントローラーホイール７３、シャッターボタン６１等を含む。コントローラーホイール７３は回転操作可能な操作部材である。シャッターボタン６１は撮像指示を行うための操作部である。シャッターボタン６１を押下することにより撮像指示を行うこともできる。タッチパネルにおいて撮像指示可能な撮像制御装置の場合には、シャッターボタン６１はなくてもよい。モード切替スイッチ６０は、システム制御部５０の動作モードを静止画記録モード、動画撮影モード、再生モード等のいずれかに切り替える。
【００２２】
被写体検出部７１は、撮像した画像データを入力することで画像データの中から主被写体を検出する。また、被写体検出部７１は、人物の顔を検出する顔検出、特定の人物を検出する個人認証、撮影対象となる物体を検出する物体検出などの画像処理から構成される。電源８０は、アルカリ電池やリチウム電池等の一次電池やＮｉＣｄ電池やＮｉＭＨ電池、Ｌｉ電池等の二次電池、ＡＣアダプター等からなる。電源制御部８１は電池検出回路、ＤＣ−ＤＣコンバータ、通電するブロックを切り替えるスイッチ回路等により構成され、電池の装着の有無、電池の種類、電池残量の検出を行う。また、電源制御部８１は、その検出結果及びシステム制御部５０の指示に基づいてＤＣ−ＤＣコンバータを制御し、必要な電圧を必要な期間、記録媒体９１を含む各部へ供給する。
【００２３】
記録媒体９１は、メモリカードやハードディスク等の記録媒体である。カードコントローラ９０はメモリカード等の記録媒体９１とデータの送受信を行う。記録媒体スロット２０１は記録媒体９１を格納するためのスロットである。記録媒体スロット２０１に格納された記録媒体９１は、デジタルカメラ１００との通信が可能となり記録や再生が可能となる。蓋２０２は記録媒体スロット２０１の蓋である。図においては、蓋２０２を開けて記録媒体スロット２０１から記録媒体９１の一部を取り出して露出させた状態を示している。
【００２４】
図２は、本実施形態における撮影モードの処理を示すフロー図である。このフロー図における各処理は、システム制御部５０が不揮発性メモリ５１に格納されたプログラムをメモリ２５に展開して実行することにより実現される。図２を用いて本実施形態における撮影モードのフローについて説明する。
【００２５】
デジタルカメラ１００は、操作部７０に含まれる電源ボタン７２の押下により起動する。また、起動時にモード切替スイッチ６０に応じた撮影モードが撮影可能となるように撮影の準備を行う。起動後に、モード切替スイッチ６０を操作することにより、撮影モードを変更した場合には、変更された撮影モードに対応する撮影の準備を行う。図３は本実施形態における撮影モード中の表示部２３の表示例と、タッチパネル７０ａを操作するユーザの指を示した図であり、図３を用いて本実施形態の表示について説明する。この処理は、不揮発性メモリ５１に記録されたプログラムをシステムメモリ５２に展開してシステム制御部５０が実行することで実現する。
【００２６】
Ｓ２０１では、システム制御部５０は、撮影モードのための初期化を行う。デジタルカメラ１００で撮影を行うために必要となる各種制御部の起動や初期化を行い、撮影のための準備を行い、表示部２３に図３（ａ）に示すようなスルー画像３００（ライブビュー画像）を表示する。本実施形態では、静止画が撮影可能であるいずれかの撮影モードが設定された場合について説明する。また、本実施形態ではタッチパネル７０ａへの操作でのみ撮像指示または撮影の中止指示を行うものとして説明するが、シャッターボタン６１が有効である場合にはシャッターボタン６１による撮像指示も可能である。
【００２７】
Ｓ２０２では、システム制御部５０は、撮像部１３から得られた画像データを逐次、被写体検出部７１へ入力し処理を行うことで、画像データ内から主被写体となる人物や物体の検出を行う。検出された主被写体は、表示部２３の画面に表示されているスルー画像に重畳して枠を表示し、ユーザに主被写体を通知することでユーザは主被写体を認識することができる。図３は本実施形態における表示部２３の表示例である。例えば、図３（ａ）のように画面内に人物がいた場合、その人物の顔を検出し、検出された顔情報を基に表示部２３に表示されている顔の位置に枠表示３０１をすることで、ユーザへ表示中の人物の顔が、主被写体として検出されていることを示すことができる。
【００２８】
Ｓ２０３では、システム制御部５０は、タッチパネル７０ａでユーザから指やタッチペン等により画面へのタッチ（タッチダウン）がされたか否かを判定する。図３（ｂ）に示す指３１０はタッチパネル７０ａ上をタッチしている。このように、タッチダウンがされたと判定した場合は、Ｓ２０４へ進み、そうでない場合はＳ２０２に戻る。
【００２９】
Ｓ２０４では、システム制御部５０は、タッチパネル７０ａからタッチダウンされた画面上の座標（位置情報）を取得する（タッチ位置取得）。
【００３０】
Ｓ２０５では、システム制御部５０は、Ｓ２０４において取得した座標を撮像部１３で得た画像データ上の座標に変換した後、タッチダウンされた座標を用いて画像データ上のタッチダウンされた位置にある被写体を主被写体として検出（主被写体検出）する。
【００３１】
Ｓ２０６では、システム制御部５０は、Ｓ２０５で検出された主被写体の座標を用いて、ＡＦ（オートフォーカス）処理（測距）、ＡＥ（自動露出）処理（測光）を行う（撮影準備）。ＡＦ処理では撮影レンズ１１の焦点を被写体に合わせ（焦点を調整し）、ＡＥ処理ではシャッター１２の絞り値及びシャッター速度（露出時間）を決定する。これにより、被写体にピントを合わせ、さらに、被写体の明るさに合わせた撮影を行うことができる。図３（ｂ）のように、タッチダウンされた位置（指３１０がタッチしている座標）にある主被写体に対し、撮影準備を行う前の枠表示３０１と異なる表示形態である枠表示３０２で合焦した箇所を示す。ＡＦ処理を行った結果、合焦または非合焦であったかによって、枠の表示色や図示していないビープ音出力部などからによる音の違いによりユーザに合焦であったか否かを通知してもよいし、合焦した場合のみ、枠表示３０２を表示するようにしてもよい。
【００３２】
Ｓ２０７では、システム制御部５０は、図３（ｃ）のように、連続撮影（連写）を指示するための連続撮影スイッチ３０３を表示部２３に表示する。不揮発性メモリ５１には予め、連続撮影スイッチ３０３を表示する座標と表示サイズが記憶されている。このとき、撮影キャンセルスイッチ３０４を表示し、撮影キャンセルスイッチ３０４（キャンセル領域）までタッチムーブ、もしくは撮影キャンセルスイッチ３０４上でタッチアップがされた場合は、撮影を行わずに撮影処理を終了するようにしてもよい。以上のように、タッチが検出された後に、キャンセル領域までのタッチムーブを検出すると、タッチアップが検出されても撮影の指示を行わないので、誤ってタッチダウンした場合にも単写撮影も連続撮影も行わずに済む。
【００３３】
Ｓ２０８では、システム制御部５０は、タッチダウンによりタッチパネル７０ａに接触したまま、Ｓ２０７で表示した所定領域である連続撮影スイッチ３０３へ、ユーザの指（タッチ位置）が移動したか（タッチムーブしたか）否かを判定する。移動したと判定した場合は、Ｓ２０９へ進み、そうでない場合はＳ２１４へ進む。
【００３４】
Ｓ２０９では、システム制御部５０は、単写撮影から連続撮影の機能を有効とする。Ｓ２０９〜Ｓ２１７は連続撮影の指示に関する撮影処理のフローである。
【００３５】
Ｓ２１０では、システム制御部５０は、撮像指示をする。ここで、撮像指示とは、撮像部１３からの信号読み出しから、記録媒体９１に画像データを書き込むまでの一連の撮影処理を行うための指示である。連続撮影においては、撮影が行われる度に該連続撮影において撮影された回数をメモリ２５に記録する。
【００３６】
Ｓ２１１では、システム制御部５０は、表示部２３に連続撮影中であることを示す、図３（ｄ）に示すように、何枚連続で撮影されているのかといった撮影の進行状況に関する表示や、タッチアップにより連続撮影が終了する旨のガイダンス表示３０５を表示する。連続して撮影された枚数は、Ｓ２１０で撮影が行われる毎にその数が更新され、メモリ２５に記録されている連続撮影枚数をＳ２１１では表示する。このとき、指３１２はタッチパネル７０ａ上をタッチしている。
【００３７】
Ｓ２１２では、システム制御部５０は、連続撮影スイッチ３０３において、ユーザの指やタッチペン等がタッチアップしたか否かを判定する。タッチアップしたと判定した場合は、撮影処理を終了し、そうでない場合はＳ２１０へ戻る。このように、Ｓ２１０〜Ｓ２１２ではタッチアップしたことが検出されるまで複数回の撮影を行うため、タッチしている間には連続撮影が行われる。また、タッチしていた点からタッチムーブ等の他のタッチ操作をすることなく、タッチアップするだけで撮影の終了指示をするので、終了するための操作を新たに行うよりも、ユーザの所望の終了タイミングにより近いタイミングで撮影を終了させることができる。また、撮影終了指示が遅れることにより記録されてしまう、不要な撮影画像の数も、所望のタイミングに近い分少なくなる。
【００３８】
Ｓ２１３では、システム制御部５０は、Ｓ２０８においてユーザの指やタッチペン等が連続撮影スイッチ３０３へ移動していないと判定された後、タッチパネル７０ａからタッチアップしたか否かを判定する。つまり、図３（ｃ）の指３１１のように連続撮影スイッチ３０３の領域に指（タッチ点）が移動する前に、タッチアップされたか否かを判定する。タッチアップしたと判定された場合は、Ｓ２１４へ進み、そうでない場合はＳ２０８へ戻る。
【００３９】
Ｓ２１４はＳ２１０と同様の処理である。Ｓ２１３及びＳ２１４では撮影回数が一回の単写撮影の指示に関する撮影処理のフローである。単写撮影の指示は、タッチパネルにタッチダウンし、連続撮影スイッチ３０３までタッチムーブせずに、タッチアップすることで行うことができる。このとき、Ｓ２０３においてタッチダウンした点から連続撮影スイッチ３０３の領域にタッチムーブせずに、タッチアップされればよい。つまり、タッチダウンした後に、主被写体となった部分を確認できるように、タッチダウンした点からタッチムーブし、主被写体の様子を確認しながら単写撮影の指示を行うことができる。
【００４０】
以上、説明した実施形態によれば連続撮影スイッチ３０３までのタッチムーブ後、タッチアップするだけで連続撮影の終了指示を行うことができる。よって、ユーザが撮影を終了したい所望のタイミングに近いタイミングで連続撮影の終了指示が行えるため、撮影の終了指示の遅れによる不要な撮影が含まれる可能性が少なくなる。また、連続撮影スイッチ３０３までのタッチムーブ後、タッチダウンした状態である時にのみ撮影が行われるので、ユーザが意図せず連続撮影の指示操作を行い、不要な撮影を行う可能性が低くなる。
【００４１】
また、タッチパネル７０ａにタッチダウンした後、連続撮影スイッチ３０３までタッチムーブせずにタッチアップをすると単写撮影の指示を行い、連続撮影スイッチ３０３までタッチムーブすると連続撮影の指示を行うことができる。よって、単写撮影と連続撮影の指示を少ないタッチ操作の数で素早く行うことができる。また、タッチダウンの後、タッチアップか連続撮影スイッチ３０３（所定位置）までのタッチムーブかといったタッチ操作の違いにより、単写撮影と連続撮影の指示をそれぞれ行うことができるため、より感覚的に単写撮影と連続撮影との指示を行うことができる。具体的には、タッチダウンすることで主被写体を検出した上で、単写撮影をしたい場合にはそのままタッチアップすればよいし、連続撮影をしたい場合には連続撮影スイッチ３０３までタッチムーブすればよい。さらに、タッチダウンした際にタッチダウンした座標に合わせて主被写体の検出を行い、ＡＦ処理、ＡＥ処理を行うので、ユーザはピントがあったことを確認した後に、タッチアップして単写撮影、もしくはタッチムーブにより連続撮影を行うことができる。
【００４２】
なお、本実施形態では連続撮影スイッチ３０３までのタッチムーブが検出されたことに応じて連続撮影の指示を行うことを説明したが、Ｓ２０３でタッチダウンした座標から所定距離以上のタッチムーブが検出されたことに応じて連続撮影の指示を行ってもよい。
【００４３】
また、Ｓ２０７において不揮発性メモリ５１には予め連続撮影スイッチ３０３を表示する座標と表示サイズが記憶されているとした。しかし、タッチが開始された座標５０１が０≦Ｘであれば０＜Ｘ（右側）を満たす所定の領域を、０＞Ｘであれば０＞Ｘ（左側）を満たす所定の領域を選択し、それぞれの領域に表示（設定）するようにしてもよい。また、連続撮影スイッチ３０３はユーザがその表示面積を設定できるようにしてもよい。同様に、タッチパネルの右側と左側のいずれかではなく、上側と下側のいずれかに、連続撮影スイッチの領域を設定してもよい。その場合には、タッチが開始された座標が０≦Ｙであれば０＜Ｙ（上側）、０＞Ｙであれば０＞Ｙ（下側）を満たす所定の領域に連続撮影スイッチを設定する。
【００４４】
なお、連続撮影中にバッテリーまたは記録媒体の容量がなくなった場合には、連続撮影を行う指示が出ていたとしても次の撮影は行われない。また、ユーザが予め連続撮影枚数の上限を設定した場合にもその上限枚数を超えて撮影は行わない。
【００４５】
＜第２実施形態＞
第１実施形態では連続撮影スイッチ３０３（第一の領域）までタッチムーブしたことに応じて連続撮影を行い、タッチアップしたことに応じて連続撮影を終了することを説明した。第２実施形態ではタッチダウンした座標に応じて連続撮影スイッチを表示する座標が決定され、連続撮影領域へタッチムーブしたことに応じて連続撮影が行われ、連続撮影スイッチ上でタッチアップしたことに応じて連続撮影を終了する。つまり、第２実施形態では、連続撮影領域（第一の領域）へのタッチムーブで連続撮影を開始し、連続撮影スイッチ（第二の領域）上でタッチアップすると連続撮影を終了し、連続撮影スイッチ以外の領域（第三の領域）上でタッチアップすると連続撮影を継続する。以上のように、第二の領域でタッチアップされた場合には、連続撮影を終了するので、タッチアップするだけのタッチ操作で、ユーザが撮影を終了したい所望のタイミングに近いタイミングで連続撮影の終了指示が行える。また、第二の領域以外の領域である第三の領域においてタッチアップされた場合には、連続撮影を継続するので、長時間連続撮影するとき、撮影期間中ずっとタッチしていなくてもよい。タッチアップした時の領域によって、連続撮影を継続するか否かを決めるので、ユーザは連続撮影を行う長さや操作状況等に応じた連続撮影の終了指示操作を行うことができる。第２実施形態は、デジタルカメラ１００の構成に関しては第１実施形態の図１と同様である。図４は、第２実施形態の撮影モードの処理を示すフロー図である。このフロー図における各処理は、システム制御部５０が不揮発性メモリ５１に格納されたプログラムをメモリ２５に展開して実行することにより実現される。図５は本実施形態における撮影モード中の表示部２３を説明するための座標図である。図５と図３（ｅ）のタッチパネル７０ａの座標は対応している。
【００４６】
Ｓ４０１〜Ｓ４０６は、Ｓ２０１〜Ｓ２０６と同様の処理である。図３（ｅ）の指３１３のタッチしている座標５０１及び図５の座標５０１は、Ｓ４０３においてタッチダウンしたことが検出されたタッチ座標を示している。
【００４７】
Ｓ４０７では、システム制御部５０は、タッチパネル７０ａにタッチダウンされた座標５０１から、デジタルカメラ１００に連続撮影スイッチを表示する座標及び領域を算出する。図５に示すように、タッチパネル７０ａにタッチが開始された座標５０１は（Ｘｋ，Ｙｌ）であるとする。連続撮影スイッチ３０７は、表示部２３に表示される連続撮影を指示するための領域であり、連続撮影スイッチ表示領域５０２の範囲内に表示される。つまり、連続撮影スイッチ表示領域５０２内の連続撮影スイッチ３０７が表示可能である複数の候補領域から、座標５０１から最も近い候補領域が連続撮影スイッチ３０７として選択（設定）される。また、連続撮影スイッチ３０７の中心座標５０３と、タッチが開始された座標５０１との距離が最短となるように、連続撮影スイッチ３０７が表示される範囲が決められる（最も近い位置に配置される）。図５においてグレーで示している領域である連続撮影スイッチ表示領域５０２は、連続撮影スイッチ３０７を設定可能であり、連続撮影スイッチ３０７が表示可能（設定可能）な領域（タッチパネル７０ａのうち一部の設定領域）である。
【００４８】
具体的な連続撮影スイッチ３０７の表示範囲について説明する。連続撮影スイッチ表示領域５０２は、図５のＸ＝Ｘｏ、Ｘ＝Ｘｍ、Ｙ＝Ｙｎ、Ｙ＝−Ｙｎで囲まれた領域、および、Ｘ＝−Ｘｐ、Ｘ＝−Ｘｍ、Ｙ＝Ｙｎ、Ｙ＝−Ｙｎで囲まれた領域であるとする。連続撮影スイッチ表示領域５０２には、スルー画像は表示されていないものとして説明する。また、Ｘｍ、Ｘｎ、Ｘｋ、Ｘｌは中心座標（０，０）から離散を示す数値で０＜Ｘｋ＜Ｘｏ＜Ｘｍ、０＜Ｘｐ＜Ｘｍ、０＜Ｘｌ＜Ｘｎの関係を有しているとする。また、不揮発性メモリ５１に記憶された連続撮影スイッチ３０７の表示サイズは表示部２３においてＸ軸方向に２Ｘα（＜（Ｘｍ−Ｘｏ））、Ｙ軸方向に２Ｙβ（＜２Ｙｎ）とする。タッチダウンした座標（Ｘｋ，Ｙｌ）から連続撮影スイッチ３０７の中心座標５０３が最短距離となり、かつ、連続撮影スイッチ表示領域５０２に連続撮影スイッチ３０７の表示サイズがおさまるように中心座標５０３を設定する。つまり、連続撮影スイッチ表示領域５０２におさまり、タッチダウンした座標から最短距離となるためにはＸ軸においてＸ＝ＸｏからＸ＝Ｘｏ＋２Ｘα、Ｙ軸においてＹ＝（Ｙｌ−Ｙβ）からＹ＝（Ｙｌ＋Ｙβ）の範囲に表示すればよい。また、このときの連続撮影スイッチ３０７が表示される中心座標５０３は（（Ｘｏ＋Ｘα）、Ｙｌ）となる。図３（ｅ）に示すように、表示部２３においては、タッチダウンした座標から最短距離となるように連続撮影スイッチ３０７は表示される。
【００４９】
Ｓ４０８では、システム制御部５０は、タッチが開始された座標５０１及び連続撮影スイッチ３０７が表示される中心座標５０３から、連続撮影領域を設定（領域設定）する。連続撮影領域はタッチダウンしてからタッチパネル７０ａに接触したまま、ユーザの指やタッチペン等が該連続撮影領域に移動してきたことに応じて、連続撮影の指示を行う。タッチが開始された座標５０１（Ｘｋ，Ｙｌ）から、Ｓ４０７において設定した連続撮影スイッチ３０７の表示位置へタッチムーブする場合の操作方向は、Ｘ軸の正方向（Ｘの値が増加する方向）である。よって、連続撮影領域はタッチダウンされた座標からみてＸ軸の正方向に設定する。本実施形態ではタッチパネル７０ａのうち、図５に示すＸ＝ＸｏよりＸ軸正方向（Ｘｏ≦Ｘ≦Ｘｍ，−Ｙｎ≦Ｙ≦Ｙｎ）を連続撮影領域３０６とする。図３（ｅ）の連続撮影領域３０６のように、表示部２３には連続撮影を指示するための領域が表示される。なお、図３（ｅ）には点線３０８を図示したが、これは、この点線３０８をタッチダウンしたまま超えると連続撮影が開始されるという表示であり、実際には線で表現してもよいし表示しなくてもよい。また、本実施形態では、図５の連続撮影領域３０６はＸｏ≦Ｘ≦Ｘｍ、及び、−Ｙｎ≦Ｙ≦Ｙｎの領域であるとしたが、タッチダウンしている点のＸ座標が点線３０８を超えたことに応じて、連続撮影を開始するようにしてもよい。連続撮影領域３０６を示すための領域は、グレー表示（半透過）やブラック表示（非透過）等の表示で示してもよいし、表示しなくてもよい。なお、連続撮影スイッチ３０７と連続撮影領域３０６は、少なくとも一部の領域を共有する。このように共有領域があることで、タッチダウンした後に共有領域までタッチムーブして連続撮影を行い、そのままタッチムーブすることなくタッチアップすれば連続撮影を中止することができる。
【００５０】
Ｓ４０９では、システム制御部５０は、タッチダウンによりタッチパネル７０ａに接触したまま、Ｓ４０７で算出された連続撮影スイッチ３０７、またはＳ４０８で算出された連続撮影領域３０６へ、ユーザの指が移動したか否かを判定する。移動したと判定した場合は、Ｓ４１０へ進み、そうでない場合はＳ４１９へ進む。
【００５１】
Ｓ４１０〜Ｓ４１２は、Ｓ２０９〜Ｓ２１１と同様の処理である。
【００５２】
Ｓ４１３では、システム制御部５０は、ユーザの指やタッチペン等がタッチムーブし、現在のタッチ位置が連続撮影スイッチ３０７上となっているか否かを判定する。移動したと判定した場合は、Ｓ４１４へ進み、そうでない場合はＳ４１５へ進む。このとき、ユーザが連続撮影スイッチ３０７をタッチしていると判定した場合には、連続撮影スイッチ３０７の表示色を変更して表示をしてもよい。このようにタッチを判定したことに応じて、表示色を変更することで、ユーザは表示色が変わった時点でタッチアップすると連続撮影が終了することが分かり、より確実に操作を行うことができる。
【００５３】
Ｓ４１４は、Ｓ２１２と同様の処理である。
【００５４】
Ｓ４１５では、システム制御部５０は、Ｓ４１３でユーザの指やタッチペン等が連続撮影スイッチ３０７とは異なる位置で、タッチアップしたか否かを判定する。タッチアップしたと判定した場合は、Ｓ４１６へ進み、そうでない場合はＳ４１２へ戻る。連続撮影スイッチでない領域でタッチアップしても連続撮影は終了されない。
【００５５】
Ｓ４１６〜Ｓ４１７は、Ｓ４１１〜Ｓ４１２と同様の処理である。
【００５６】
Ｓ４１８では、システム制御部５０は、ユーザの指やタッチペン等がタッチパネル７０ａにタッチダウンしたか否かを判定する。タッチダウンしたと判定した場合は、撮影処理を終了し、そうでない場合はＳ４１６へ戻り、再び撮影を行う。このように本実施形態においては連続撮影スイッチ３０７以外の領域でタッチアップされた場合には、タッチダウンされるまで連続撮影を行う。
【００５７】
Ｓ４１９〜Ｓ４２０は、Ｓ２１３〜Ｓ２１４と同様の処理である。
【００５８】
以上、説明した実施形態によれば連続撮影領域３０６までのタッチムーブ後、連続撮影スイッチ３０７上でタッチアップするだけで連続撮影の終了指示を行うことができる。よって、ユーザが撮影を終了したい所望のタイミングに近いタイミングで連続撮影の終了指示が行えるため、撮影の終了指示の遅れによる不要な撮影が含まれる可能性が少なくなる。また、連続撮影領域３０６までのタッチムーブ後、タッチダウンした状態である場合と、連続撮影スイッチ３０７以外の位置でタッチアップをした場合にのみ撮影が行われるので、ユーザが意図せず連続撮影の指示操作を行い、不要な撮影を行う可能性が低くなる。
【００５９】
また、連続撮影スイッチ３０７以外の位置でタッチアップした場合には、タッチアップした状態でも連続撮影を継続することができる。長時間連続撮影する場合には、連続撮影スイッチ３０７以外の位置でタッチアップすれば、連続撮影中にずっとタッチパネル７０ａをタッチしていなくてもよい。このように、ユーザは連続撮影を行う指示を使い分けることができるので、ユーザの操作状況や連続撮影を行う期間に応じて適切なタッチ操作を使い分けることができる。さらに、連続撮影を終了したい場合には再びタッチダウンすればよいので、上述のように一度タッチアップした状態で連続撮影を行う際にも素早く連続撮影を終了することができる。
【００６０】
また、連続撮影スイッチ３０７及び連続撮影領域３０６は、タッチが開始された座標５０１から、タッチムーブする距離がより短くなるように設定される。そのため、連続撮影の開始指示及び終了指示を行う際には、より短いタッチムーブ距離で指示を行うことができる。そのため、ユーザが連続撮影を行いたいと思った所望のタイミングにより近いタイミングで連続撮影を開始することができる。さらに、連続撮影スイッチ及び連続撮影領域は、タッチが開始された座標５０１からみて常に所定の方向となるように設けても良い。これにより、ユーザはタッチパネル７０ａ上のいかなる位置にタッチダウンしても、同じ方向へのタッチムーブ操作により連続撮影が可能となる。つまり、本実施形態においては、タッチパネル７０ａの右端の領域にのみ連続撮影スイッチ及び連続撮影領域を設けることで、ユーザのタッチムーブの方向は常に右方向となる。タッチムーブの方向が常に同じであれば、操作のたびに指をどちらに動かせばよいのかを考えなくてもよく、いつもは同じ方向へ操作をすればよいので操作性が高くなる。
【００６１】
さらに、タッチパネル７０ａにタッチダウンした後、連続撮影領域３０６までタッチムーブせずに、タッチアップすれば単写撮影の指示をし、連続撮影領域３０６までタッチムーブすることで連続撮影の指示をすることができる。よって、単写撮影と連続撮影と、共に少ない操作数で撮影の指示を素早く行うことができる。また、タッチダウンの後、タッチアップか連続撮影領域３０６（所定位置）までのタッチムーブかといったタッチ操作の違いにより、単写撮影と連続撮影の指示をそれぞれ行うことができるため、より感覚的に単写撮影と連続撮影との指示を行うことができる。具体的には、タッチダウンすることで主被写体を検出した上で、単写撮影をしたい場合にはそのままタッチアップすればよいし、連続撮影をしたい場合には連続撮影領域３０６までタッチムーブすればよい。
【００６２】
なお、本実施形態では連続撮影スイッチ表示領域５０２は表示部２３及びタッチパネル７０ａの端を含む領域の左右２箇所とすることを説明した。しかし、本発明を適用可能なものとしては、これに限らず、表示部２３及びタッチパネル７０ａの左右上下の４箇所でも、画面全体を連続撮影スイッチ表示領域としてもよい。また、本実施形態では連続撮影スイッチ３０７と連続撮影領域３０６を、一部の領域を共有するとしたが、全ての領域を共有するようにしてもよい。また、本実施形態では、連続撮影領域３０６と、連続撮影スイッチ表示領域５０２のＸ軸正方向側に属する部分とが同じ領域である場合について説明したが、本発明はこれに限らず、異なる領域を設定するようにしてもよい。
【００６３】
なお、本実施形態では、静止画の撮影を連続撮影としたが、連続して撮像した画像を動画として記録する動画撮影でもよい。
【００６４】
なお、本実施形態では連続撮影スイッチ表示領域５０２にはスルー画像は表示されていないものとしたが、連続撮影スイッチ表示領域５０２にスルー画像が表示されるようにしてもよい。連続撮影スイッチ表示領域５０２上において、タッチダウンがされた場合には、座標５０１に重ならないように連続撮影スイッチ３０７及び連続撮影領域３０６を設ければよい。連続撮影スイッチ表示領域５０２が複数ある場合には、タッチダウンされた座標５０１が含まれる方とは他方の連続撮影スイッチ表示領域５０２上に、連続撮影スイッチ３０７及び連続撮影領域３０６を設ければよい。
【００６５】
なお、撮像制御装置の制御は１つのハードウェアが行ってもよいし、複数のハードウェアが処理を分担することで、装置全体の制御を行ってもよい。
【００６６】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６７】
また、上述した実施形態においては、本発明をデジタルカメラ１００に適用した場合を例にして説明したが、これはこの例に限定されずタッチ操作によって撮像指示を行うことができるような撮像制御装置であれば適用可能である。すなわち、本発明は携帯電話端末や携帯型の画像ビューワ、タッチパネルやタッチ操作を受け付け可能な操作部を備えるプリンタ装置、デジタルフォトフレーム、音楽プレーヤー、ゲーム機、電子ブックリーダーなどに適用可能である。例えば、スマートフォンやタブレット端末で、離れた位置や直接操作のしにくい位置にある撮像装置をリモート操作し、撮影の指示を行う場合などには本発明は有効である。
【００６８】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2016039498.tif 000003
【図２】
2016039498.tif 000004
【図３】
2016039498.tif 000005
【図４】
2016039498.tif 000006
【図５】
2016039498.tif 000007